(57)【要約】【課題】多彩な表示表現を可能とし視認性を大幅に向上させた表示装置を備えた空気調和機を提供する。【解決手段】表示装置は、長手方向の正面の少なくとも一部を外部に臨ませたほぼ長方形の導光体２０と、該導光体２０の長手方向の背面に対向して該導光体の長手方向に並んで直列配置された複数個の単色ＬＥＤ４４と、前記導光体２０の長手方向の一方の端面と他方の端面に対向してそれぞれ配置された２個の３色ＬＥＤ４３とを備える。【選択図】  図２
2010190501.tif 000002
【特許請求の範囲】
【請求項１】
本体の正面に空気調和機の運転状況又は状態を表示する表示装置を備えた空気調和機において、
前記表示装置は、ほぼ長方形の導光体と、該導光体の長手方向の背面に対向して、該導光体の長手方向に直列に配置された複数個の第１のＬＥＤと、前記導光体の長手方向の一方の端面と他方の端面に対向してそれぞれ配置された第２のＬＥＤとを備えることを特徴とする空気調和機。
【請求項２】
請求項１に記載の空気調和機において、
前記第１のＬＥＤは単色のＬＥＤであり、前記第２のＬＥＤは２色あるいは３色のＬＥＤ又は発光色の異なる３個のＬＥＤであることを特徴とする空気調和機。
【請求項３】
請求項１又は２に記載の空気調和機において、
前記表示装置は、前記第１のＬＥＤを運転状況に合わせて同時点灯で多点発光させ、又は１個づつ順次点灯で動きのある発光をさせることを特徴とする空気調和機。
【請求項４】
請求項１、２又は３に記載の空気調和機において、
前記表示装置は、前記第２のＬＥＤを運転状態に合わせて所望の同一色で点灯させて前記導光体を当該同一色で面発光させ、又は異なった色で点灯させて前記導光体をグラデーション発光させることを特徴とする空気調和機。
【請求項５】
請求項１、２、３又は４に記載の空気調和機において、
前記導光体は、前記長手方向の正面に該長手方向と直交する方向の曲面を有する凸部が形成され、前記長手方向の上下面と前記背面に光反射シートが貼付され、前記長手方向の前記背面に光拡散部が形成されていることを特徴とする空気調和機。
【請求項６】
請求項１、２、３、４又は５に記載の空気調和機において、
前記表示装置は、前記本体に設けられ前記導光体を収納する表示収納部と、前記第１のＬＥＤが直接実装されたメイン基板に対して前記第２のＬＥＤが実装されたサブ基板を立設した光源ユニットと、
前記表示収納部の前面に取り付けられ長孔を有する装飾板とを備え、
前記導光体の前記凸部を前記装飾板の前記長孔に臨ませ、前記表示収納部の背面から前記メイン基板を取り付けることで、前記導光体の長手方向の背面に対向して前記第１のＬＥＤが当接し、前記導光体の長手方向の両端面に対向して前記第２のＬＥＤが当接するようにしたことを特徴とする空気調和機。
【発明の詳細な説明】
【技術分野】
【０００１】
本発明は、表示装置の表示の視認性を向上させた空気調和機に関するものである。
【背景技術】
【０００２】
従来の空気調和機の表示装置は、色の異なる単色のＬＥＤを機能に応じて点灯、点滅させていた。例えば、運転ランプは赤色、タイマーランプは緑色、パワー表示は橙色等である。また、近年、空気調和機では、フィルター自動清掃機能が急速に広まった。フィルター自動清掃時は運転停止状態となるため、フィルター自動清掃中であることを知らせるために、フィルターお掃除ランプが点灯するようになっている。この場合は主に緑色のＬＥＤが使われている。さらに、視認性を上げるために下記のような表示も表れてきた。
【０００３】
その１つは、特許文献１に記載の表示手法である。これは、図６に示すように、プリント基板５１上に、２色ＬＥＤ５２と、その光を面発光させる導光体５３と、それらを収納する固定具５４を備えている。導光体５３は、微細凹形状を有する光拡散部が形成された奥面５３ａがプリント基板５１に接するように配設されている。２色ＬＥＤ５２は、導光体５３の一方の端面５３ｂに近接対向して配置されている。そして、固定具５４が、２色ＬＥＤ５２と導光体５３を密接収納して、プリント基板５１上に固定する構成となっている。これによれば、３色変化する広範囲の面発光の表示ができる。
【０００４】
もう１つは、特許文献２に記載の表示手法である。これは、図７に示すように、表示部６１を長尺形状として、その上部分に反射溝６２を有する光表示部６３を設け、下部分にランプレンズ６４、６５を設けて、光表示部６３の内部の背面に、反射板６６を設けるとともに、ＬＥＤ６７，６８，６９、７０，７１を配置した基板７２をケース７３に収納したものである。そして、ＬＥＤ６７，６８，６９の点灯状態を制御することで、所定の色の光を反射板６６で反射させて長尺の光表示６３で面発光させ、ＬＥＤ７０，７１の点灯状態を制御することで、ランプレンズ６４，６５の点灯を行わせるものである。
【０００５】
これによれば、光表示部６３に、冷房運転の時には青色、暖房運転の時には赤色、除湿運転の時には緑色等のように、空気調和機の各運転状態をイメージするような色を有する光を発光させることができるので、視覚的に運転状態を容易に把握することができる。また、光表示部６３を、全体が面発光している状態と、段階的な表示（グラデーション）の状態とで使い分けることで、例えば、表示部全体が面発光している状態をフルパワー運転、グラデーション表示されている状態を通常運転、または省エネ運転とすることができる。
【発明の概要】
【発明が解決しようとする課題】
【０００６】
ところが、特許文献１，２の構成では、導光体５３あるいは光表示部６３の片端面側にのみにＬＥＤが配置されているため、他方の端面側では光量が落ちて、面全体を発光させることが困難となる。また、面発光を広範囲にしても、片端面側にのみＬＥＤを配置しているため、動きのある表示ができない。また、特に特許文献２では、グラデーション表示されている状態は発光の強い面と弱い面のグラデーションとなるため、表示全体が暗くなり、段階の差がわかりにくい問題がある。さらに、フィルターお掃除ランプがタイマーランプと同じ緑色の単色ＬＥＤの点灯となる場合は、混同する。また、フィルタ掃除中は空気調和機は使用できないが、ＬＥＤの点灯ではいつ掃除が終わるか分からずに、待っているのがもどかしくなる。
【０００７】
本発明の目的は、各色での均一な面発光表示、面発光でのグラデーション表示、光点移動表示、棒グラフ表示変化等の多彩で効果的な表示表現を可能として視認性を大幅に向上させた表示装置を備えた空気調和機を提供することである。
【課題を解決するための手段】
【０００８】
上記目的を達成するために、請求項１にかかる発明の空気調和機は、本体の正面に空気調和機の運転状況又は状態を表示する表示装置を備えた空気調和機において、前記表示装置は、ほぼ長方形の導光体と、該導光体の長手方向の背面に対向して、該導光体の長手方向に直列に配置された複数個の第１のＬＥＤと、前記導光体の長手方向の一方の端面と他方の端面に対向してそれぞれ配置された第２のＬＥＤとを備えることを特徴とする。
【０００９】
請求項２にかかる発明は、請求項１に記載の空気調和機において、前記第１のＬＥＤは単色のＬＥＤであり、前記第２のＬＥＤは２色あるいは３色のＬＥＤ又は発光色の異なる３個のＬＥＤであることを特徴とする。
【００１０】
請求項３にかかる発明は、請求項１又は２に記載の空気調和機において、前記表示装置は、前記第１のＬＥＤを運転状況に合わせて同時点灯で多点発光させ、又は１個づつ順次点灯で動きのある発光をさせることを特徴とする。
【００１１】
請求項４にかかる発明は、請求項１、２又は３に記載の空気調和機において、前記表示装置は、前記第２のＬＥＤを運転状態に合わせて所望の同一色で点灯させて前記導光体を当該同一色で面発光させ、又は異なった色で点灯させて前記導光体をグラデーション発光させることを特徴とする。
【００１２】
請求項５にかかる発明は、請求項１、２、３又は４に記載の空気調和機において、前記導光体は、前記長手方向の正面に該長手方向と直交する方向の曲面を有する凸部が形成され、前記長手方向の上下面と前記背面に光反射シートが貼付され、前記長手方向の前記背面に光拡散部が形成されていることを特徴とする。
【００１３】
請求項６にかかる発明は、請求項１、２、３、４又は５に記載の空気調和機において、前記表示装置は、前記本体に設けられ前記導光体を収納する表示収納部と、前記第１のＬＥＤが直接実装されたメイン基板に対して前記第２のＬＥＤが実装されたサブ基板を立設した光源ユニットと、前記表示収納部の前面に取り付けられ長孔を有する装飾板とを備え、前記導光体の前記凸部を前記装飾板の前記長孔に臨ませ、前記表示収納部の背面から前記メイン基板を取り付けることで、前記導光体の長手方向の背面に対向して前記第１のＬＥＤが当接し、前記導光体の長手方向の両端面に対向して前記第２のＬＥＤが当接するようにしたことを特徴とする。
【発明の効果】
【００１４】
本発明の空気調和装置によれば、そこに備えた表示装置が、導光体の背面に対向して配置された複数個の第１のＬＥＤと導光体の長手方向の両端面に対向して配置された第２のＬＥＤとを備えるので、複数個の第１のＬＥＤによって多点発光や光点移動表示や棒グラフ表示変化が可能となり、第２のＬＥＤによって各色での均一の面発光表示や面発光でのグラデーション表示が可能となり、多彩で多種類の動きを含む表示表現が可能となって、視認性を大幅に向上させることができる。また、導光体に曲面を有する凸部を形成することで、正面から外れた方向からの視認性を向上させることができる。また、導光体に光反射シートを貼付することで、正面に達する光量を増大して視認性をより高めることができる。また、導光体の背面に光拡散部を形成することでも視認性を高めることができる。
【図面の簡単な説明】
【００１５】
【図１】本発明の１つの実施例の空気調和機の斜視図である。
【図２】図１の空気調和機の表示装置の分解斜視図である。
【図３】図１の空気調和機の表示装置の横断面図である。
【図４】図１の空気調和機の表示装置の縦断面図である。
【図５】図１の空気調和機の表示装置の表示形態の説明図である。
【図６】従来の表示装置の横断面図である。
【図７】(a)は従来の別の表示装置の正面図、(b)は同表示装置の奥部分の説明図である。
【発明を実施するための形態】
【００１６】
図１に本発明の空気調和機を示す。空気調和機本体１００は、前面パネル１１０の側に、上パネル１２０、下パネル１３０、装飾板１４０、および表示装置１５０が配置されている。１６０は側面吸込口、１７０は下部吸込口、１８０は吹出口である。図２に表示装置１５０を示す。この表示装置１５０は、左右方向に長い長方形の導光体２０を、前面の装飾板１４０の表示部１０と背面の前面パネル１００の表示収納部３０で挟持して、その表示収納部３０のさらに背面から光源ユニット４０を組み込んだものである。
【００１７】
導光体２０は、正面側の長手方向に沿って上下方向に曲面をもつ凸部２１が島形状に形成され、凸部２１と反対側の背面２２には微小凹凸加工による光拡散部が形成され、上下面と背面には光反射シート２３が貼付されている。背面の光反射シートは、背面からの光に対して透過性を有する。前面の凸部２１は、表示部１０に形成された長孔１１に挿入すると、その先端が長孔１１の前面より前方に突出する大きさである。
【００１８】
前面パネル１００の表示収納部３０は、上下のガイド凸板３１、左右のガイド凸板３２、ガイド凸板３１とガイド凸板３２に囲まれた中央部に開口された横並びの５個の光ガイド孔３３、およびガイド凸板３２の内側に開口された開口３４を備える。また、背面に弾性爪３５を有する（図４）。
【００１９】
光源ユニット４０は、メイン基板４１、そのメイン基板４１の両端部に立設されたサブ基板４２、その各サブ基板４２の内側に相対向するよう取り付けられた３色ＬＥＤ４３、およびメイン基板４１上に３色ＬＥＤ４３と同じ高さで横に並べて直列配置された５個の単色ＬＥＤ４４を備える。
【００２０】
次に、図３および図４を参照して、組み立てについて説明する。まず、表示収納部３０の左右の開口３４に、光源ユニット４０のサブ基板４２を挿入する。これにより、光源ユニット４０の５個の単色ＬＥＤ４４が、それぞれ表示収納部３０の光ガイド孔３３にそれぞれ臨む。そして、この状態を、表示収納部３０に形成した弾性爪３５でメイン基板４１を背面から表示収納部３０に対して押圧することで、保持する。
【００２１】
次に、表示収納部３０の上下のガイド凸板３１と左右の凸板３２で囲まれる内側に、導光体２０をその背面２２から挿入する。その後、装飾板４００を、その表示部１０の長孔１１に導光体２０の凸部２１が挿入するように、前面パネル１１０の表示収納部３０に取り付ける。
【００２２】
以上により、表示装置１５０の導光体２０には、その左右両端面にそれぞれ３色ＬＥＤ４３が対向し、背面２２の側に５個の単色ＬＥＤ４４が横並びで対向することになる。この５個の単色ＬＥＤ４４は、光ガイド孔３３によって、互いの光の干渉が防止された状態で光を導光体２０の背面に入射させる。また、導光体２０の凸部２１は曲面となっているので、正面のみならず上下の方向からの視認性が良くなる。また、導光体２０に光反射シート２３が貼付されているので、正面に達する光量が増大する。また、導光体２０の背面２２に光拡散部が形成されているので光拡散が効果的となる。
【００２３】
従って、表示装置１５０は、２個の３色ＬＥＤ４３を同色で点灯させると、図５(a)に示すように、導光体２０の凸部２１が左右にライン状に、その色で均一に面発光する。よって、例えば、運転モードを表示する場合は、冷房運転時は青、暖房運転時は赤、除湿運転時は緑、自動運転時は紫、送風運転時は白等とすることにより、その運転モードの区別を表示することができる。
【００２４】
また、２個の３色ＬＥＤ４３を異なった色で点灯させると、別の動作を表示できる。例えば、上記各種運転時に、一方の３色ＬＥＤ４３を白色点灯させると、図５(b)に示すように、当該白色点灯側（図５(b)では右側）の濃度が薄くなるグラデーション表示となるので、当該運転のパワーセーブ表示に好適となる。
【００２５】
さらに、５個の単色ＬＥＤ４４を点灯させるときは、全部の単色ＬＥＤ４４を同時点灯させることで多点発光が行える。また、一方の端から他方の端に向けて順次点灯させることで、導光体２０の凸部２１上を左右方向に光点が移動するので、これをフィルタ自動掃除のときの表示に使用すれば、好適である。このとき、例えば、一方の端から他方の端に向けて順次点灯させ、次に他方の端から一方の端に向けて順次点灯させ、これを繰り返させることで、フイルタ自動掃除が現在進行中であることが一目でわかるように表示できる。また、フィルタ自動掃除が終了に近づいたときは、一旦全部を点灯させて最長の棒グラフとした後に、時間経過とともに一方の端から順次消灯させることで、フィルタ自動掃除が終了するまでのおおよその時間を表示させることができる。つまり、５個の単色ＬＥＤ４４によって、動き表示を行うことができる。
【００２６】
なお、３色ＬＥＤ４３は、２色ＬＥＤであっても、あるいは発光色の異なる３個のＬＥＤであってもよい。また、２個の３色ＬＥＤ４３と５個の単色ＬＥＤ４４は、一方のみを点灯させるのみならず、両方を同時に点灯させることもできる。
【符号の説明】
【００２７】
１００：空気調和機本体
１１０：前面パネル、１２０：上パネル、１３０：下パネル、１４０：装飾板、１５０：表示装置、１６０：側面吸込口、１７０：下部吸込口、１８０：吹出口
１０：装飾板１４０の表示部、１１：長孔
２０：導光体、２１：凸部、２２：背面、２３：光反射シート
３０：前面パネル１１０の表示収納部、３１：凸板、３２：凸板、３３：光ガイド孔、３４：開口、３５：弾性爪
４０：光源ユニット、４１：メイン基板、４２：サブ基板、４３：３色ＬＥＤ、４４：単色ＬＥＤ
【先行技術文献】
【特許文献】
【００２８】
【特許文献１】特開２００３−１０８０４５号公報
【特許文献２】特許第３８７６９６２号公報
【図１】
2010190501.tif 000003
【図２】
2010190501.tif 000004
【図３】
2010190501.tif 000005
【図４】
2010190501.tif 000006
【図５】
2010190501.tif 000007
【図６】
2010190501.tif 000008
【図７】
2010190501.tif 000009